(57)【特許請求の範囲】
【請求項１】
被写体の撮影を行なうカメラにおいて、
このカメラの撮影モードを、シャッタボタンを押して撮影者から離れた被写体を撮影する通常撮影モードと、撮影レンズを撮影者側に向けてシャッタボタンを押すことにより撮影者を被写体として撮影するセルフポートレート撮影モードとのいずれかの撮影モードに自在に切り替えるモード切替手段と、
シャッタボタンを押してから所定時間経過後に撮影を行う、前記通常撮影モードおよび前記セルフポートレート撮影モードのいずれのモードにおいても動作するセルフタイマ機能を設定するセルフタイマ設定手段と、
このカメラを、前記モード切替手段により切り替えられた撮影モードおよび前記セルフタイマ設定手段によるセルフタイマ機能の設定の有無に応じた状態に設定する状態設定手段とを備えたことを特徴とするカメラ。
【請求項２】
前記状態設定手段は、セルフポートレート撮影モードとセルフタイマ機能とが併設された場合のセルフタイマ秒時を、通常撮影モードとセルフタイマ機能とが併設された場合のセルフタイマ秒時よりも短い時間に設定するものであることを特徴とする請求項１記載のカメラ。
【発明の詳細な説明】
【０００１】
【発明の属する技術分野】
本発明は、撮影者自身を撮影するセルフポートレート撮影モードを備えたカメラに関する。
【０００２】
【従来の技術】
カメラを用いて撮影者が自分自身を撮影する場合、カメラを三脚にセットし、カメラに備えられたセルフタイマモード機能を用いて撮影することが一般的である。しかし、三脚は重くて嵩張るものであり、常時携帯するには不便であるうえ、撮影者が撮影を所望する場所で、常に三脚が使えるとは限らない。したがって、第３者に撮影をお願いするのが難しい場合、撮影者が片手でカメラを自分の方に向けて持ち、その手を伸ばして撮影することが多い。ところが、このような撮影方法で撮影する場合、そのような近距離撮影に対応したカメラでないために、大きなピントずれが起こったり、撮影者がファインダを覗くことができないために、ときには撮影者自身が写真等に写っていないことがある。近年、この問題を解消する、セルフポートレート撮影モードを備えたカメラが知られてきている。このセルフポートレート撮影モードでは、例えば、被写体までの距離情報を予め用意されている値に固定したり、ズームを広角にして撮影画角を広くするなど、撮影者自身が撮影画角内に入り、かつ撮影者にピントが合うような諸設定を行なう。このセルフポートレート撮影モードを用いることによって、撮影者自身が写真等に写っていない、あるいは大きなピントずれが生じるという失敗は起こりにくくなっている。
【０００３】
【発明が解決しようとする課題】
しかし、片手だけでカメラを持ち、さらにその手を伸ばして撮影する方法は、手ぶれが起こり易いという問題があり、この問題は従来のセルフポートレート撮影モード機能では解決されていない。
【０００４】
本発明は、上記事情に鑑み、セルフポートレート撮影モード機能を備えたカメラにおいて、撮影者自身を撮影するときの手ぶれの影響を抑えるカメラを提供することを目的とする。
【０００５】
【課題を解決するための手段】
上記目的を達成する本発明のカメラは、被写体の撮影を行なうカメラにおいて、
このカメラの撮影モードを、シャッタボタンを押して撮影者から離れた被写体を撮影する通常撮影モードと、撮影レンズを撮影者側に向けてシャッタボタンを押すことにより撮影者を被写体として撮影するセルフポートレート撮影モードとのいずれかの撮影モードに自在に切り替えるモード切替手段と、
シャッタボタンを押してから所定時間経過後に撮影を行う、通常撮影モードおよびセルフポートレート撮影モードのいずれのモードにおいても動作するセルフタイマ機能を設定するセルフタイマ設定手段と、
このカメラを、モード切替手段により切り替えられた撮影モードおよびセルフタイマ設定手段によるセルフタイマ機能の設定の有無に応じた状態に設定する状態設定手段とを備えたことを特徴とする。
【０００６】
ここでいうセルフポートレート撮影モードは、撮影者自身を撮影するときに、例えば、ズームレンズを広角に設定するなどして、撮影者自身が撮影画角内に収まるような撮影を行なう機能である。
【０００７】
本発明のカメラは、セルフタイマ機能と上記のセルフポートレート撮影モードの併用が可能である。通常、撮影者が片手でカメラを持ち、その手を伸ばして撮影者自身を撮影する場合、シャッタ釦を押すタイミングでカメラが動いてしまうことが多い。本発明のカメラによると、例えば、シャッタ釦を押したときにカメラが動いてしまっても、セルフタイマ機能の作用により、シャッタ釦を押して暫らくしてからカメラの内部でシャッタが切られるため、写真等には手ぶれの影響がでにくい。さらに、セルフポートレート撮影モードを併用するため、写真等に撮影者自身が写っていないという失敗も起こりにくい。
【０００８】
また、本発明のカメラにおいて、状態設定手段は、セルフポートレート撮影モードとセルフタイマ機能とが併設された場合のセルフタイマ秒時を、通常撮影モードとセルフタイマ機能とが併設された場合のセルフタイマ秒時よりも短い時間に設定するものであることが好ましい。
【０００９】
通常、セルフタイマ機能を用いた撮影は、三脚等にカメラがセットされて行なわれることが多い。これに対し、セルフタイマ機能をセルフポートレート撮影モードと併用する場合、撮影者自身がカメラを持って撮影するため、セルフタイマ秒時がある程度短い方が、疲労感が少ない快適な撮影を行なうことができる。
【００１０】
【発明の実施の形態】
以下、本発明の実施形態について説明する。
【００１１】
図１は、本発明の一実施形態のカメラの外観図である。ここで、本実施形態のカメラは、撮影画角の中央付近にある被写体に自動的にピントを合わせるオートフォーカスカメラであり、焦点距離を決めるズームは、Ｚ１（広角撮影を行なう）、Ｚ２、Ｚ３、Ｚ４、Ｚ５（望遠撮影を行なう）の５段階に切替可能である。
【００１２】
図１（ａ）は、カメラ１００の正面図である。
【００１３】
このカメラ１００の正面には、撮影時に押されるシャッタ釦１１０、撮影者が被写体の位置などを定めるために覗くファインダ１２０、撮像信号の明るさを測定するＡＥ窓１２１、セルフタイマ撮影時に点灯あるいは点滅して撮影タイミングを知らせるセルフタイマランプ１２２、被写体に焦点を合わせるためのレンズ１３０、シャッタ釦１１０の押下に同期して発光する閃光発光装置１４０、閃光発光装置１４０から発光された光量を計測する閃光調光センサ１４１、測距用の赤外光を被写体方向に投光する投光窓１５０、および投光窓１５０から投光された赤外光が被写体で反射されて戻ってきた反射光を受光する受光窓１６０が備えられている。ここで、シャッタ釦１１０は半押し、および全押しの２段階に押下可能であり、シャッタ釦１１０が半押しされると焦点を合わせるための動作等の撮影準備がカメラ１００の内部で行われ、シャッタ釦１１０が全押しされると実際の撮影が行われる。
【００１４】
図１（ｂ）は、カメラ１００を上から見た上面図である。
【００１５】
カメラ１００の上面には、図１にも示すシャッタ釦１１０とレンズ１３０、通常撮影モード（レバーをＴの方に合わせる）とセルフポートレート撮影モード（レバーをＳの方にあわせる）とを切り替える撮影モード切替レバー１７０、セルフタイマの使用（レバーをＯＮの方に合わせる）および不使用（レバーをＯＦＦの方に合わせる）を切り替えるセルフタイマ設定レバー１８０、およびズームレバー１９０を倒すことで５段階のズーム位置が切替可能なズームレバー１９０が備えられている。
【００１６】
このズーム位置は、番号が大きいほど焦点距離が長くなり、望遠撮影向きとなる。逆にズーム位置が小さいほど焦点距離が短くなり、広角撮影向きとなる。電源ＯＮでＺ１にセットされ、Ｔに倒すことによってＺ２−Ｚ３−Ｚ４−Ｚ５とズームし、Ｗに倒すと逆にズームする。
【００１７】
また、ここでいう通常撮影モードとは、ズーム位置がズームレバー１９０を用いて撮影者によって設定され、被写体までの距離を表わす距離情報が、図１（ａ）の投光窓１５０および受光窓１６０で投光および受光される赤外光を使って、カメラ１００に内蔵されているＣＰＵで算出される撮影モードである。これに対し、セルフポートレート撮影モードは、ズーム位置および距離情報として、予め用意されている値が用いられる撮影モードである。また、撮影モード切替レバー１７０とセルフタイマ設定レバー１８０は、相互に独立に設定可能である。この通常撮影モードは、本発明にいう通常撮影モードにあたり、セルフポートレート撮影モードは、本発明にいうセルフポートレート撮影モードにあたる。また、セルフタイマ設定レバー１８０でセルフタイマの使用が設定された状態は、本発明にいうセルフタイマ機能が設定された状態にあたる。さらに、撮影モード切替レバー１７０は、本発明のカメラのモード切替手段の一例に相当し、セルフタイマ設定レバー１８０は、本発明のカメラのセルフタイマ設定手段の一例に相当する。
【００１８】
ここで、カメラ１００の内部の構造について説明する。
【００１９】
図２は、カメラ１００のブロック図である。
【００２０】
このカメラ１００には、ＣＰＵ２００、撮影モード切替スイッチ２１１、セルフタイマ設定スイッチ２１２、ズーム切替スイッチ２１３、シャッタスイッチ２１４、測距回路２２０、測光回路２３０、閃光発光回路２４０、メモリ２５０、鏡胴制御回路２６０、鏡胴２６１、ズームレンズ２６２、シャッタ駆動回路２７０、絞り兼用シャッタ２７１、およびフィルム給送回路２８０が具備されており、さらに、フィルム３００が装填されている。
【００２１】
まず、各スイッチについて説明する。
【００２２】
撮影モード切替スイッチ２１１は、図１（ｂ）の撮影モード切替レバー１７０と連動し、撮影モードを切り替えるスイッチである。撮影モード切替レバー１７０で通常撮影モードあるいはセルフポートレート撮影モードが選択されると、撮影モードが撮影モード切替スイッチ２１１からＣＰＵ２００に伝えられる。セルフタイマ設定スイッチ２１２は、図１（ｂ）のセルフタイマ設定レバー１８０でセルフタイマの使用あるいは不使用が設定されると、ＣＰＵ２００にセルフタイマの使用および不使用を伝える。ズーム切替スイッチ２１３は、図１（ｂ）のズームレバー１９０でズーム位置が指定されると、そのズーム位置をＣＰＵ２００に伝える。シャッタスイッチ２１４は、図１（ｂ）のシャッタ釦１１０が半押しされると１段目のスイッチが入り、ＣＰＵ２００にシャッタが半押しされたことを表わすシャッタ半押し情報を伝える。また、シャッタ釦１１０が全押しされると２段目のスイッチが入り、ＣＰＵ２００にシャッタが全押しされたことを表わすシャッタ全押し情報を伝える。
【００２３】
次に、スイッチ以外の各部について説明する。
【００２４】
ＣＰＵ２００は、撮影画角の中央付近にある被写体にピントを合わせるときの合焦位置の算出、絞り量およびシャッタスピードの算出、および図２の各部への動作の指示等を行なう。
【００２５】
測距回路２２０は、ＣＰＵ２００から動作の指示を受けると、図１（ａ）の投光窓１５０から撮影画角の中央部にある被写体の方向に赤外光を投光し、受光窓１６０で被写体が反射する反射光を受光する。さらに、受光窓で反射光を受光した位置から、被写体までの距離情報を算出する。この距離情報は、ＣＰＵ２００に伝えられる。
【００２６】
測光回路２３０は、ＣＰＵ２００から動作の指示により、撮影場所の明るさを測光する。測光結果は、ＣＰＵ２００に送られる。
【００２７】
閃光発光回路２４０は、ＣＰＵ２００から閃光の適性発光量の情報を受けると、図１（ａ）の閃光発光装置１４０から閃光を発光する。このとき発光した閃光の発光量を閃光調光センサ１４１で計測し、適性発光量を発光すると、発光を停止する。
【００２８】
メモリ２５０は、セルフポートレート撮影モード時の距離情報、およびセルフタイマ撮影モード時のセルフタイマ秒時等を記憶するメモリである。
【００２９】
鏡胴制御回路２６０は、ＣＰＵ２００からズームレンズ２６２のレンズ位置を指示されると、鏡胴２６１に取りつけられたモータを駆動し、指示されたレンズ位置にズームレンズ２６２を設定する。
【００３０】
シャッタ駆動回路２７０は、ＣＰＵ２００から受け取った絞り情報、およびシャッタ速度に従って、絞り兼用シャッタ２７１に取りつけられたモータを駆動して、絞り兼用シャッタ２７１を切る。
【００３１】
ここで、ＣＰＵ２００、鏡胴制御回路２６０、およびシャッタ駆動回路２７０は、セルフポートレート撮影モード選択時およびセルフタイマ設定時の諸設定を行なう回路であり、これは本発明のカメラにおける状態設定手段の一例に相当する。
【００３２】
絞り兼用シャッタ２７１が切られ、１回の撮影が終了すると、ＣＰＵ２００は、フィルム３００に取りつけられたモータを駆動し、フィルムを１駒巻き上げる。撮影可能な全ての駒が撮影されると、ＣＰＵ２００は、フィルム給送回路２８０に動作指示を送る。ＣＰＵ２００から動作指示を受けると、フィルム給送回路２８０はフィルムを巻き取る動作を行う。
【００３３】
本実施形態のカメラは、基本的には以上のように構成されるものであり、次にこのカメラ１００を用いて被写体を撮影する手順について説明する。
【００３４】
図３は、カメラ１００で被写体を撮影するときの撮影場面の場合分けを示すフローチャート図である。以下、このフローチャート図を使って説明する。
【００３５】
まず、第１の場面として、セルフタイマを使わずに通常撮影モードで撮影を行なうときの手順について説明する。
【００３６】
まず、撮影者は、図１（ｂ）の撮影モード切替レバー１７０をＴ（通常撮影モード）、セルフタイマ設定レバー１８０をＯＦＦ（セルフタイマ不使用）に合わせる。尚、今回はズームレバー１９０は倒さずに、初期状態であるＺ１が設定された状態で撮影する。
【００３７】
撮影モード切替レバー１７０で撮影モードが選択されると、図２の撮影モード切替スイッチ２１１からＣＰＵ２００に通常撮影モードを選択したことが伝えられる。同様に、セルフタイマ設定レバー１８０でセルフタイマ不使用を設定したことが、セルフタイマ設定スイッチ２１２からＣＰＵ２００に伝えられ、ズームレバー１９０で選択されたＺ１がズーム切替スイッチ２１３からＣＰＵ２００に伝えられる。
【００３８】
ＣＰＵ２００は、ズーム切替スイッチ２１３から送られたズーム位置から、ズームレンズ２６２のズームレンズ位置を決定し、ズームレンズ位置の情報を鏡胴制御回路２６０に伝える。ＣＰＵ２００からズームレンズ位置の情報を受け取った鏡胴制御回路２６０は、鏡胴２６１に取りつけられているモータを駆動し、指示されたズームレンズ位置にズームレンズ２６２を設定する。
【００３９】
このとき、図３のステップ（ａ）において、今回は通常撮影モードで撮影するため、ステップ（ｂ）に進む。
【００４０】
さらに、ステップ（ｂ）で、セルフタイマは使用しないので、ステップ（ｄ）に進む。
【００４１】
図１に戻り、撮影者は、図１（ａ）のファインダ１２０をのぞき、所望の被写体がカメラの撮影画角の中央にくるようにカメラを動かし、シャッタ釦１１０を半押しする。
【００４２】
この時点で、カメラの内部で撮影準備が始まるが、以下の説明は図４のフローチャート図を用いて説明する。
【００４３】
図４は、撮影が行われるときのカメラ１００の内部の動作を示すフローチャート図である。
【００４４】
撮影者が図１のシャッタ釦１１０を半押しすると、図２のシャッタスイッチ２１４の１段目のスイッチが入る（図４のステップ（ア））。このとき、シャッタスイッチ２１４からシャッタ半押し情報がＣＰＵ２００に伝えられる。
【００４５】
シャッタ半押し情報を受け取ったＣＰＵ２００は、測距回路２２０および測光回路２３０に動作の指示を与える。
【００４６】
測距回路２２０は、ＣＰＵ２００から動作の指示を受けると、図１（ａ）の投光窓１５０から赤外光を投光し、その反射光を受光窓１６０で受光する。さらに、被写体までの距離情報を算出し、この距離情報をＣＰＵ２００に伝える（図４のステップ（イ））。
【００４７】
また、測光回路２３０は、撮影場所の明るさを測定し、測光結果をＣＰＵ２００に送る（図４のステップ（ウ））。
【００４８】
測距回路２２０から距離情報を受け取ったＣＰＵ２００は、この距離情報を基に、被写体に焦点が合うときのズームレンズ２６２のフォーカス位置を算出する（図４のステップ（エ））。このフォーカス位置の情報は、鏡胴制御回路２６０に伝えられる。
【００４９】
また、ＣＰＵ２００は、測光回路２３０から測光結果を受け取り、その測光結果を基に、絞り量、およびシャッタ速度を算出する（図４のステップ（オ））。さらに、絞りを小さくするに従って低下する露出量を補うための、閃光の適性発光量を算出する。
【００５０】
ＣＰＵ２００からフォーカス位置の情報を受け取った鏡胴制御回路２６０は、鏡胴２６１に取りつけられているモータを駆動し、指示されたフォーカス位置にズームレンズ２６２を設定する（ステップ（カ））。
【００５１】
ここまでの処理で撮影のための準備は完了し、撮影者によって図１（ａ）のシャッタ釦１１０が全押しされるまでの間、待機状態になる。
【００５２】
図１に戻り、撮影者は、シャッタ釦１１０を半押し後、暫くしてからシャッタ釦１１０を全押しする。
【００５３】
シャッタ釦１１０が全押しされると、図２のシャッタスイッチ２１４の２段目のスイッチが入る（図４のステップ（キ））。このとき、シャッタスイッチ２１４からシャッタ全押し情報がＣＰＵ２００に伝えられる。
【００５４】
シャッタ全押し情報を受け取ったＣＰＵ２００は、算出した絞り量およびシャッタ速度をシャッタ駆動回路２７０に送り、同様に、適性発光量を閃光発光回路２４０に送る。
【００５５】
閃光発光回路２４０は、ＣＰＵ２００から閃光の適性発光量の情報を受けると、図１（ａ）の閃光発光装置１４０から閃光を発光する。このとき発光した閃光の発光量を閃光調光センサ１４１で計測し、適性発光量を発光すると、発光を停止する。
【００５６】
シャッタ駆動回路２７０は、ＣＰＵ２００から絞り量およびシャッタ速度を受けると、絞り兼用シャッタ２７１に取りつけられたモータを駆動して、絞り兼用シャッタ２７１を切る（図４のステップ（ク））。ここで、フィルム３００への露光が行われ、１回の撮影が終了する。
【００５７】
以上で図４のフローチャート図の説明を終了し、図３のフローチャート図に戻って説明する。
【００５８】
図４のフローチャート図を使って説明したように、図３のステップ（ｄ）の通常モード撮影が終了すると、図２のＣＰＵ２００は、フィルム３００を駆動し、フィルムを１駒巻き上げる。
【００５９】
さらに、ステップ（ｈ）に進む。図示しないが、この時点で図１のカメラ１００の背面に備えられている電源スイッチが押されると、全ての撮影が終了する。さらに撮影を続ける場合、ステップ（ａ）に戻って撮影が始められる。
【００６０】
これでセルフタイマを使わずに通常撮影モードで撮影を行なう第１の場面の説明を終了し、次にセルフタイマを使って通常撮影モードで撮影を行なう第２の場面の手順について説明する。尚、第２の場面の説明を行なうにあたり、第１の場面と重なる部分の説明は省略する。
【００６１】
まず、撮影者は、図１（ｂ）の撮影モード切替レバー１７０をＴ（通常撮影モード）、セルフタイマ設定レバー１８０をＯＮ（セルフタイマ使用）に合わせる。尚、今回もズームレバー１９０は倒さずに、初期状態であるＺ１が設定された状態で撮影する。
【００６２】
撮影モード切替レバー１７０で撮影モードが選択されると、図２の撮影モード切替スイッチ２１１からＣＰＵ２００に通常撮影モードを選択したことが伝えられる。同様に、セルフタイマ設定レバー１８０でセルフタイマ使用を設定したことが、セルフタイマ設定スイッチ２１２からＣＰＵ２００に伝えられ、ズームレバー１９０で選択されたＺ１がズーム切替スイッチ２１３からＣＰＵ２００に伝えられる。さらに、第１の場面と同様に、ズームレンズ２６２がＺ１に対応するズームレンズ位置に設定される。
【００６３】
このとき、図３のステップ（ａ）において、今回は通常撮影モードで撮影するため、ステップ（ｂ）に進む。
【００６４】
さらに、ステップ（ｂ）で、セルフタイマを使用するので、ステップ（ｃ）に進む。
【００６５】
図１に戻り、撮影者は、図１（ａ）のファインダ１２０をのぞき、所望の被写体がカメラの撮影画角の中央にくるようにカメラを動かし、シャッタ釦１１０を半押しする。
【００６６】
撮影者がシャッタ釦１１０を半押しすると、図２のシャッタスイッチ２１４の１段目のスイッチが入る（図４のステップ（ア））。このとき、シャッタスイッチ２１４からシャッタ半押し情報がＣＰＵ２００に伝えられる。
【００６７】
以下、第１の場合と同様に図４のフローチャート図のステップ（ア）からステップ（カ）までの処理がカメラ１００の内部で行われる。
【００６８】
図１に戻り、撮影者がシャッタ釦１１０を全押しする。
【００６９】
シャッタ釦１１０が全押しされると、図２のシャッタスイッチ２１４の２段目のスイッチが入る（図４のステップ（キ））。このとき、シャッタスイッチ２１４からシャッタ全押し情報がＣＰＵ２００に伝えられる。
【００７０】
シャッタ全押し情報を受け取ったＣＰＵ２００は、メモリ２５０から、通常撮影モード時のセルフタイマ秒時を取得する。この通常撮影モード時のセルフタイマ秒時は、本発明にいう、「セルフタイマ撮影モードのみが設定された場合のセルフタイマ秒時」にあたる。本実施形態においては、通常撮影モード時のセルフタイマ秒時は５秒であるとする。
【００７１】
ＣＰＵ２００は、シャッタ全押し情報を受け取ってから５秒後に、絞り量およびシャッタ速度をシャッタ駆動回路２７０に送り、同様に、適性発光量を閃光発光回路２４０に送る。
【００７２】
閃光発光回路２４０は、ＣＰＵ２００から閃光の適性発光量の情報を受けると、図１（ａ）の閃光発光装置１４０から閃光を発光する。同様に、シャッタ駆動回路２７０は、ＣＰＵ２００から絞り量およびシャッタ速度を受けると、絞り兼用シャッタ２７１に取りつけられたモータを駆動して、絞り兼用シャッタ２７１を切り、撮影が行われる（図４のステップ（ク））。
【００７３】
図３のフローチャート図において、ステップ（ｃ）で１回の撮影が終了すると、フィルム３００が１駒巻き上げられ、第１の場面の場合と同様に、ステップ（ｈ）に進む。
【００７４】
これでセルフタイマを使用し、通常撮影モードで撮影を行なう第２の場面の説明を終了する。
【００７５】
次に、撮影者が、セルフタイマを使用せずに、セルフポートレート撮影モードで撮影者自身を撮影する第３の場面の手順について説明する。尚、第１および第２の場面と異なる部分の説明のみ行う。
【００７６】
まず、撮影者は、図１（ｂ）の撮影モード切替レバー１７０をＳ（セルフポートレート撮影モード）、セルフタイマ設定レバー１８０をＯＦＦ（セルフタイマ不使用）に合わせる。
【００７７】
撮影モード切替レバー１７０で撮影モードが選択されると、図２の撮影モード切替スイッチ２１１からＣＰＵ２００にセルフポートレート撮影モードを選択したことが伝えられる。同様に、セルフタイマ設定レバー１８０でセルフタイマ不使用を設定したことが、セルフタイマ設定スイッチ２１２からＣＰＵ２００に伝えられる。また、第１および第２の場面とは異なり、ズーム位置については、ＣＰＵ２００が、最も広角な撮影画可能であるズーム位置１に自動的に設定する。さらに、第１および第２の場面と同様に、ズームレンズ２６２がＺ１に対応するズームレンズ位置に設定される。
【００７８】
このとき、図３のステップ（ａ）において、今回はセルフポートレート撮影モードで撮影するため、ステップ（ｅ）に進む。
【００７９】
さらに、ステップ（ｅ）で、セルフタイマは使用しないので、ステップ（ｇ）に進む。
【００８０】
ここで、撮影者は、カメラ１００が撮影者自身の方を向くように片手でカメラを持ち、カメラを持った手を伸ばしてシャッタ釦１１０を半押しする。
【００８１】
撮影者がシャッタ釦１１０を半押しすると、図２のシャッタスイッチ２１４の１段目のスイッチが入る（図４のステップ（ア））。このとき、シャッタスイッチ２１４からシャッタ半押し情報がＣＰＵ２００に伝えられる。
【００８２】
シャッタ半押し情報を受け取ったＣＰＵ２００は、測光回路２３０に動作の指示を与える。
【００８３】
図４のステップ（イ）で、セルフポートレート撮影モード選択時には、被写体までの距離情報は予め用意されている値を用いる。ＣＰＵ２００は、メモリ２５０からセルフポートレート撮影モード時の距離情報を取得する。本実施形態において、この距離情報は、手の長さ程度の６０ｃｍであるとする。
【００８４】
ＣＰＵ２００から動作指示を受けた測光回路２３０は、撮影場所の明るさを測定し、測光結果をＣＰＵ２００に送る（図４のステップ（ウ））。
【００８５】
ＣＰＵ２００は、距離情報を基に、被写体に焦点が合うときのズームレンズ２６２のレンズ位置を算出する。（図４のステップ（エ））。このレンズ位置の情報は、鏡胴制御回路２６０に伝えられる。
【００８６】
以下、第１の場合と同様に、ステップ（オ）からステップ（ク）までの処理が行われ、１回の撮影が終了する。
【００８７】
図３のステップ（ｇ）のセルフポートレート撮影が終了すると、図２のＣＰＵ２００は、フィルム３００を駆動し、フィルムを１駒巻き上げる。さらに、第１の場合と同様に、ステップ（ｈ）の処理が行われる。
【００８８】
以上のような手順で、セルフタイマを使用せず、セルフポートレート撮影モードで撮影を行なう第３の場面の撮影が行われる。ここで、第３の場面の撮影方法で撮影した写真は、セルフポートレート撮影モードを適用するため、撮影者自身は確実に撮影画角内に収まり、写真に写っていないという事故は起こり難いが、シャッタ釦１１０を押すときに手が動いてしまい、手ぶれの影響を受け易い。
【００８９】
次に、セルフタイマを使用し、セルフポートレート撮影モードで撮影を行なう第４の場面について説明する。尚、第１、第２、および第３の場面と異なる部分の説明のみ行う。
【００９０】
まず、撮影者は、図１（ｂ）の撮影モード切替レバー１７０をＳ（セルフポートレート撮影モード）、セルフタイマ設定レバー１８０をＯＮ（セルフタイマ使用）に合わせる。尚、今回もズームレバー１９０は押さずに、初期状態であるＺ１が設定された状態で撮影する。
【００９１】
撮影モード切替レバー１７０で撮影モードが選択されると、図２の撮影モード切替スイッチ２１１からＣＰＵ２００にセルフポートレート撮影モードを選択したことが伝えられる。同様に、セルフタイマ設定レバー１８０でセルフタイマ使用を設定したことが、セルフタイマ設定スイッチ２１２からＣＰＵ２００に伝えられる。さらに、第３の場面と同様に、ＣＰＵ２００によって、Ｚ１が設定され、ズームレンズ２６２がＺ１に対応するレンズ位置に設定される。
【００９２】
このとき、図３のステップ（ａ）において、今回はセルフポートレート撮影モードで撮影するため、ステップ（ｅ）に進む。
【００９３】
さらに、ステップ（ｅ）で、セルフタイマを使用するので、ステップ（ｆ）に進む。
【００９４】
ここで、撮影者は、カメラ１００が撮影者自身の方を向くように片手でカメラを持ち、カメラを持った手を伸ばしてシャッタ釦１１０を半押しする。
【００９５】
以下、第３の場合と同様に、図４のステップ（ア）からステップ（カ）までの処理が行われる。
【００９６】
図１に戻り、撮影者がシャッタ釦１１０を全押しする。
【００９７】
シャッタ釦１１０が全押しされると、図２のシャッタスイッチ２１４の２段目のスイッチが入る（図４のステップ（キ））。このとき、シャッタスイッチ２１４からシャッタ全押し情報がＣＰＵ２００に伝えられる。
【００９８】
シャッタ全押し情報を受け取ったＣＰＵ２００は、メモリ２５０から、セルフポートレート撮影モード時のセルフタイマ秒時を取得する。セルフポートレート撮影モード時のセルフタイマ秒時は、通常撮影モード時のセルフタイマ秒時よりも短く、本実施形態においては、セルフポートレート撮影モード時のセルフタイマ秒時は２秒であるとする。このセルフポートレート撮影モード時のセルフタイマ秒時は、本発明にいう、「セルフポートレート撮影モードとセルフタイマ撮影モードとが併設された場合のセルフタイマ秒時」に相当する。
【００９９】
ＣＰＵ２００は、シャッタ全押し情報を受け取ってから２秒後に、絞り量およびシャッタ速度をシャッタ駆動回路２７０に送り、同様に、適性発光量を閃光発光回路２４０に送る。
【０１００】
以下、第３の場合と同様に図４のステップ（ク）の処理が行われる。
【０１０１】
図３のフローチャート図において、ステップ（ｆ）で１回の撮影が終了すると、フィルム３００が１駒巻き上げられ、第３の場面の場合と同様に、ステップ（ｈ）に進む。
【０１０２】
第４の場合の撮影方法は、第３の場合と異なり、シャッタ釦１１０が全押しされた後、２秒後に撮影が行われる。したがって、シャッタ釦１１０を押すときに手が動いてしまっても、手ぶれの影響を受け難い。また、通常撮影モード時のセルフタイマ秒時よりも短いため、カメラを片手で持っていても疲労感は少ない。このように、本実施形態のカメラを用いると、手ぶれの影響を受け難く、さらに疲労感の少ない撮影を行なうことができる。
【０１０３】
ここで、本実施形態では、フィルムを用いて写真を撮影するカメラについて説明したが、被写体の撮影画像を得るものであればよく、画像データから撮影画像を生成するデジタルカメラでもよい。
【０１０４】
また、本実施形態では、セルフポートレート撮影モード選択時に、被写体までの距離情報を固定し、広角撮影を行うカメラについて説明したが、例えば、距離情報を固定するだけのものであってもよい。
【０１０５】
【発明の効果】
以上、説明したように、本発明によれば、セルフポートレート撮影モードを備えたカメラにおいて、撮影者自身を撮影するときの手ぶれの影響を抑えるカメラを提供することが可能である。
【図面の簡単な説明】
【図１】本発明の一実施形態が適用されたカメラの外観図である。
【図２】カメラ１００のブロック図である。
【図３】カメラ１００で被写体を撮影するときの撮影場面の場合分けを示すフローチャート図である。
【図４】撮影が行われるときのカメラ１００の内部の動作を示すフローチャート図である。
【符号の説明】
１００    カメラ
１１０    シャッタ釦
１２０    ファインダ
１２１  ＡＥ窓
１２２  セルフタイマランプ
１３０    レンズ
１４０    閃光発光装置
１４１    調光センサ
１５０    投光窓
１６０    受光窓
１７０    撮影モード切替レバー
１８０    セルフタイマ設定レバー
１９０    ズームレバー
２００    ＣＰＵ
２１１    撮影モード切替スイッチ
２１２    セルフタイマ設定スイッチ
２１３    ズーム切替スイッチ
２１４    シャッタスイッチ
２２０    測距回路
２３０    測光回路
２４０    閃光発光回路
２５０    メモリ
２６０    レンズ駆動回路
２６１    鏡胴
２６２    ズームレンズ
２７０    シャッタ駆動回路
２７１    絞り兼用シャッタ
２８０    フィルム給送回路
３００    フィルム
【図１】
0003970676.tif 000002
【図２】
0003970676.tif 000003
【図３】
0003970676.tif 000004
【図４】
0003970676.tif 000005